(57)【要約】【課題】  少ない工数で組み立てることができ、モール部材のガタ付きがなくなり、すっきりした外観の意匠効果をあげられるようにした玄関ドアを提供する。【解決手段】  ドアパネルを構成する形材２５とモール部材２６とを一体構造の形材とし、形材２５が上下桟２３、２４または縦框２１、２２と交差する端部に上下様または縦框と嵌合する切欠嵌合部２７を設け、モール部材２６の小口を塞ぐキャップ部材２８に爪部３２ａ、３２ｂを設け、上下桟または縦框に形成した孔部３３に爪部３２ａ、３２ｂを係合させることにより、モール部材２６の端部を上下桟または縦框に対して結合する。【選択図】  図１
2007070898.tif 000002
【特許請求の範囲】
【請求項１】
左右縦框と上下桟とからなる枠体にドアパネルを構成する形材を嵌め込み、装飾を有するモール部材を一方向に並べて前記形材の室外側の面に設け、前記モール部材の端部と交差する上下桟または縦框を該モール部材の端部で隠すようにした玄関ドアにおいて、
前記ドアパネルを構成する形材と前記モール部材とを一体構造の形材とし、前記形材が上下桟または縦框と交差する端部に上下様または縦框と嵌合する切欠嵌合部を設け、該モール部材の小口を塞ぐキャップ部材に爪部を設け、前記上下桟または縦框に形成した孔部に前記爪部を係合させることにより、該モール部材の端部を上下桟または縦框に対して結合するようにしたことを特徴とする玄関ドア。
【請求項２】
前記爪部は、前記モール部材に小口端面に向かって屈曲するＬ字形の爪からなり、キャップ本体と前記爪との間の前記孔部の縁部が係合する隙間を形成するとともに、該モール部材を正規の取付位置にスライドすることにより、該モール部材の端部を上下桟または縦框に対して引きつけるテーパ案内部を前記爪部に形成したことを特徴とする請求項１に記載の玄関ドア。
【請求項３】
前記切欠嵌合部には、前記爪部を孔部に係合させるための押し込み代を形成するとともに、前記上下桟または縦框の内側縁に形成されたスリットに嵌合する段差部を設けたことを特徴とする請求項２に記載の玄関ドア。
【発明の詳細な説明】
【技術分野】
【０００１】
本発明は、住宅に用いられる玄関ドアに係り、特に、ドア表面の意匠を構成するモール部材の取付構造の改良を図った玄関ドアに関する。
【背景技術】
【０００２】
図１０は、特許文献１で提案されている玄関ドアを室外側からみた正面を示す図である。縦框１、２と上桟３、下桟４とからドアの枠体が構成され、この枠体に中框５とガラス６が嵌め込まれている。この特許文献１では、太陽光にさらされてドアの表面が退色、変色するのを防止し、意匠性を高めるために、表面には樹脂模様シートが積層されている。
【０００３】
図１０のような従来の一般的な玄関ドアでは、基本的に、ドアの枠組が室外側からも見えるようになっている。そこで、近年では、ドアの枠組みを構成する上下桟が室外側から見えないようなシンプルですっきりとしたデザインにして、高級感を出すようにした玄関ドアがある（特許文献２）。
【０００４】
図１１に示すように、この玄関ドアでは、上桟１１、下桟１２と左右の縦框１３、１３とからドアパネル１０の框組みが構成されており、室外側では上桟１１、下桟１２が隠れるようにして、ドアパネル１０の表面に額縁３０、４０、５０が固着されている。これらの額縁３０、４０、５０は、ドアの長手方向に延び表面を装飾された板部材（以下、モール部材という）であり、これらが固着された玄関ドアを室外側からみると、図１１に示すように、表面に装飾のあるモール部材で上桟１１、下桟１２が隠れ、直線的なシンプルな外観により、高級感を醸し出すことができる。
【特許文献１】特開２００１−１７３３２３号公報
【特許文献２】特開２００１−１２３７５３号公報
【発明の開示】
【発明が解決しようとする課題】
【０００５】
引用文献２に記載されたような玄関ドアでは、モール部材の取付構造に問題がある。すなわち、従来のこの種の玄関ドアでは、ドアパネルは、縦柄という部材を何本か組み合わせたものが用いられ、これらの縦柄の上下端部を上桟、下桟に呑み込ませて接合するとともに、モール部材を縦柄の表面に固着する必要がある。
【０００６】
しかし、上下桟に縦柄を呑み込ませ、縦柄にモール部材を固着する構造では、部品点数が多く、組立工数も多くなるため、製作コストが増大する欠点がある。また、モール部材の固着は、簡易なものでは、両面テープを使用したものがあるが、高級感を出す以上、モール部材がずれたり、剥がれたりしないように、ガタつかないようにする必要があり、この点が課題とされている。
【０００７】
そこで、本発明の目的は、前記従来技術の有する問題点を解消し、縦柄のような部材とモール部材が一体構造をなしているので、部品点数を削減するとともに組立工数の削減により、製作コストを低減することができ、さらに、モール部材のガタ付きがなくなり、すっきりした外観の意匠効果をあげられるようにした玄関ドアを提供することにある。
【課題を解決するための手段】
【０００８】
前記の目的を達成するために、本発明は、左右縦框と上下桟とからなる枠体にドアパネルを構成する形材を嵌め込み、装飾を有するモール部材を一方向に並べて前記形材の室外側の面に設け、前記モール部材の端部と交差する上下桟または縦框を該モール部材の端部で隠すようにした玄関ドアにおいて、
前記ドアパネルを構成する形材と前記モール部材とを一体構造の形材とし、前記形材が上下桟または縦框と交差する端部に上下様または縦框と嵌合する切欠嵌合部を設け、該モール部材の小口を塞ぐキャップ部材に爪部を設け、前記上下桟または縦框に形成した孔部に前記爪部を係合させることにより、該モール部材の端部を上下桟または縦框に対して結合するようにしたことを特徴とするものである。
【０００９】
また、本発明においては、前記爪部は、前記モール部材に小口端面に向かって屈曲するＬ字形の爪からなり、キャップ本体と前記爪との間の前記孔部の縁部が係合する隙間を形成するとともに、該モール部材を正規の取付位置まで押し込むことにより、該モール部材の端部を上下桟または縦框に対して引きつけるテーパ案内部を前記爪部に形成したことを特徴とするものである。
【００１０】
また、本発明では、切欠嵌合部には、前記爪部を孔部に係合させるための押し込み代を形成するとともに、前記上下桟または縦框の内側縁に形成されたスリットに嵌合する段差部部を設けることが好ましい。
【発明の効果】
【００１１】
本発明によれば、縦柄のような部材とモール部材が一体構造をなしているので、部品点数を削減するとともに、組立工数を削減して製作コストを低減することが可能となり、しかも、モール部材のガタ付きがなくなり、すっきりした外観の意匠効果をあげられるようにした高級仕様の玄関ドアにすることができる。
【発明を実施するための最良の形態】
【００１２】
以下、本発明による玄関ドアの一実施形態について、添付の図面を参照しながら説明する。  
図２は、本発明を適用した実施形態による玄関ドアを室外側からみた正面図で、図３は、同玄関ドアを室内側からみた背面である。これら図２、図３において、参照番号２０は、玄関ドアの全体を示す。この玄関ドア２０では、図３に示すように、左右の縦框２１、２２と上桟２３、下桟２４を四方組にした枠体を備えている。この枠体には、ドアパネルを構成する形材として、４枚の縦柄２５が縦框２１、２２と平行に並ぶように取り付けられている。図２に示すように、玄関ドア２０を室外側からみると、縦柄２５の室外側はすべて装飾面を有するモール部材２６となっており、このモール部材２６の上下端部が上桟２３、下桟２４と交差し、上桟２３と下桟２４は隠れて見えないようになっている。
【００１３】
図４は、図３におけるIV−IV断面を示している。縦柄２５では、室外側の湾曲する面が装飾面を有するモール部材２６に相当しており、この装飾面を有するモール部材２６は縦柄２５と一体となって一つの形材を構成するようになっている。この点、従来は、縦柄２５とモール部材２６は別々の部材であったのと大きく相違している。
【００１４】
次に、図５は、縦柄２５が上桟２３と交差する上端部を示す図である。上述のように、縦柄２５とモール部材２６は一体構造であるが、この図５に示されるように、縦柄２５の上端部は、縦柄２５に相当する部分が大きく切り欠かれた切欠嵌合部２７が形成され、この切欠嵌合部２７では、実質的に、モール部材２６だけが残っている構造となっている。そして、モール部材２６の小口には、キャップ部材２８が装着されるようになっている。なお、縦柄２５の下端部の構造もまったく同じ構造であるので、説明は省略する。
【００１５】
ここで、図６は、キャップ部材２８の構造を示す斜視図である。このキャップ部材２８の本体２９は、モール部材２６の小口を塞ぐことができるように、小口の輪郭形状に対応した形状をもっている部材で、押し込むだけで簡単に装着できる。この図６では、図５に示されたキャップ部材２８と対比するため、上下が反転した姿勢で表示されている。
【００１６】
キャップ部材２８の本体２９の端面には、つば部３１が形成されており、このつば部３１がモール部材２６の小口に係止する。また、キャップ部材２８の本体２９の側面には、所定の間隔をとって爪部３２ａ、３２ｂが一体的に形成されている。この爪部３２ａ、３２ｂは、図７に示されるように、上桟２３に形成されている孔部３３に係合し、モール部材２６の端部を上桟２３に対して結合させるようになっている。
【００１７】
この実施形態では、爪部３２ａ、３２ｂはその先端がモール部材２６の小口端面側に向かって屈曲するＬ字形の爪からなっている。キャップ部材２８の本体２９と屈曲した爪との間には、孔部３３の端縁が係合する隙間３４が形成されている。また、爪部３２ａ、３２ｂの内側の爪先端と隙間３４の入口までの間には、テーパ案内部３５ａ、３５ｂが形成されている。
【００１８】
図８に示すように、切欠嵌合部２７には、爪部３２ａ、３２ｂを孔部３３に係合させるための押し込み代Ｌを形成するとともに、上桟２３の内側縁に形成されたスリット３６に嵌合する段差部３７が形成されている。
【００１９】
本実施形態による玄関ドアは、以上のように構成されるものであり、次に、その作用並びに効果について説明する。
【００２０】
図８（ａ）に示されるように、モール部材２６の小口には、キャップ部材２８を装着しておく。そして、キャップ部材２８の爪部３２ａ、３２ｂを上桟２３の孔部３３に臨ませるとともに、上桟２３のスリット３６に切欠嵌合部２７の段差部３７を合わせておく。これにより、押込み代Ｌがある状態で、縦柄２５の切欠嵌合部２７に上桟２３が組み合わされた状態になる。
【００２１】
そこで、図８（ｂ）に示すように、上桟２３を矢印方向にスライドさせるようにしてモール部材２６が正規の取付位置にくるまで押し込むと、爪部３２ａ、３２ｂの内側の隙間３４に孔部３３の縁部が係合し、モール部材２６は上桟２３に対して固定されることになる。
【００２２】
この実施形態では、爪部３２ａ、３２ｂには、テーパ案内部３５ａ、３５ｂが形成されているので、このテーパ案内部３５ａ、３５ｂは、孔部３３の縁部が隙間３４にしだいに入り込んでいくのを案内するとともに、モール部材２６の端部を上桟２３対して引きつける作用を発揮するので、正規の取付位置まで押し込むと、モール部材２６の先端部はがたつきのない状態で固定される。なお、テーパ案内部３５ａ、３５ｂについては、この実施形態のように爪部３２ａ、３２ｂに設けることが好適であるが、上桟２３の肉厚に変化をつける加工をすることによって、テーパ案内部３５ａ、３５ｂと同等の機能をもつテーパ部を形材自体に形成するようにしてもよい。
【００２３】
以上のようにして、本実施形態の玄関ドアでは、縦柄２５とモール部材２６とが一体構造のまま、キャップ部材２８を用いて簡単に取り付けられるので、モール部材２６の取付に関連する部品点数を削減し、少ない工数で組み立てることができる。
【００２４】
図１は、以上のようにして、上桟２３にモール部材２６が一体の縦柄２５を取り付けた状態を示す。この図１では、一枚の縦柄２５が取り付けられているが、この縦柄２５の隣に同じようにして縦柄２５が取り付けられる。
【００２５】
全部の縦柄２５を取り付けて玄関ドアが完成すると、図２に示すように、室外側には、縦框２１、２２に平行にモール部材２６が並んだすっきりとした直線的でシンプルな外観となり、高級感のある玄関ドアになる。
【００２６】
なお、以上の本発明について、モール部材を縦柄と一体の玄関ドアに関する実施形態を挙げて説明したが、モール部材は、横方向の部材と一体として、上下桟とモール部材が平行に並ぶようなデザインの玄関ドアについても同じように適用することができる。
【００２７】
また、図９に示すように、縦柄２５と縦柄２５の間にガラス板４０を組み入れた玄関ドアについても、本発明を実施形態と全く同じようにして適用することができる。
【図面の簡単な説明】
【００２８】
【図１】本発明の玄関ドアの一実施形態による要部を示す斜視図。
【図２】同実施形態による玄関ドアを室外側からみた正面を示す図。
【図３】同実施形態による玄関ドアを室内側からみた正面を示す図。
【図４】図３におけるIV−IV断面を示す図。
【図５】玄関ドアの縦柄の端部を示す分解図。
【図６】図５のキャップ部材を詳細構造を示す斜視図。
【図７】縦柄と上桟が組み合わせを示す分解図。
【図８】縦柄と上桟の取付方の説明図。
【図９】本発明が適用可能なガラス板の入った玄関ドアを示す正面図。
【図１０】従来の玄関ドアを示す正面図。
【図１１】従来の他の玄関ドアを示す正面図。
【符号の説明】
【００２９】
２０  玄関ドア
２１  縦框
２２  縦框
２３  上桟
２４  下桟
２５  縦柄
２６  モール部材
２７  切欠嵌合部
２８  キャップ部材
３２ａ、３２ｂ  爪部
【図１】
2007070898.tif 000003
【図２】
2007070898.tif 000004
【図３】
2007070898.tif 000005
【図４】
2007070898.tif 000006
【図５】
2007070898.tif 000007
【図６】
2007070898.tif 000008
【図７】
2007070898.tif 000009
【図８】
2007070898.tif 000010
【図９】
2007070898.tif 000011
【図１０】
2007070898.tif 000012
【図１１】
2007070898.tif 000013